【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
映像データを生成する映像センサと、
前記映像データの後製作を行うための一又は二以上の命令を有する再構成可能なソフトウェアを含む制御部と、
を備えることを特徴とするデジタル・メディア装置。
【請求項２】
前記再構成可能なソフトウェアは、さらに、デジタル権利を管理する一又は二以上の命令を含む請求項１記載のデジタル・メディア装置。
【請求項３】
前記再構成可能なソフトウェアは、さらに、バイオメトリック識別情報認識を行う一又は二以上の命令を含む請求項１記載のデジタル・メディア装置。
【請求項４】
前記再構成可能なソフトウェアは、さらに、メタ・データを前記映像データに関連付ける一又は二以上の命令を含み、
前記メタ・データは、言語属性，バイオメトリック属性，課金又は配布属性，著者又はジャンル又は背景情報を示す属性、又は認証属性を含む請求項１記載のデジタル・メディア装置。
【請求項５】
映像データを生成する映像センサと、
前記映像データの後製作を行うための再構成可能なハードウェアを含む制御部と、
を備えることを特徴とするデジタル・メディア装置。
【請求項６】
一又は二以上の音声又は映像データの製作を、一又は二以上のメディア装置に行わせる委任ステップと、
前記一又は二以上のメディア装置から、前記一又は二以上の音声又は映像データを受信する受信ステップと、
を有することを特徴とするコンテンツの製作方法。
【請求項７】
前記委任ステップが、スクリプト又はデジタル・テンプレートに従って行われる請求項６記載のコンテンツの製作方法。
【請求項８】
前記委任ステップ又は前記受信ステップが、ネットワークを介して行われる請求項６記載のコンテンツの製作方法。
【請求項９】
前記コンテンツが、ニュース番組又はスポーツ番組を含む請求項６記載のコンテンツの製作方法。
【請求項１０】
メディア装置を用いて映像データを製作する製作ステップと、
前記メディア装置からレンダラに前記映像データを送信する送信ステップと、を有し、
前記レンダラが、映画館，衛星放送装置又はモバイル映像表示デバイスからなることを特徴とするコンテンツの配布方法。
【請求項１１】
メディア装置を用いて映像データを製作する製作ステップと、
所定のデータ構造を前記映像データに関連付ける関連付けステップと、を有し、
前記データ構造が、メタ・データからなることを特徴とする映像データへのメタ・データ関連付け方法。
【請求項１２】
前記メタ・データが、前記製作ステップ実行時における、前記メディア装置の地理的な位置情報を含む請求項１１記載の映像データへのメタ・データ関連付け方法。
【請求項１３】
前記メタ・データが、前記製作ステップ実行時における、前記メディア装置の空間的な方向情報を含む請求項１１記載の映像データへのメタ・データ関連付け方法。
【請求項１４】
前記メタ・データが、ＤＲＭタグを含む請求項１１記載の映像データへのメタ・データ関連付け方法。
【請求項１５】
前記メタ・データが、言語タグを含む請求項１１記載の映像データへのメタ・データ関連付け方法。
【請求項１６】
前記メタ・データが、バイオメトリック・タグを含む請求項１１記載の映像データへのメタ・データ関連付け方法。
【請求項１７】
前記メタ・データが、認証タグを含む請求項１１記載の映像データへのメタ・データ関連付け方法。
【請求項１８】
一又は二以上の映像データを選択するためのビューを提供するステップと、
ニュース番組又はスポーツ番組に組み込むための、前記一又は二以上の映像データの一つを指定する選択を受信するステップと、を有し、
前記一又は二以上の映像データが、一又は二以上のメディア装置で生成されることを特徴とするユーザ・インタフェース表示方法。
【請求項１９】
一又は二以上の映像データを選択するためのビューを提供するステップと、
ニュース・サーバ又はスポーツ・サーバに送信するための、前記一又は二以上の映像データの一つを指定する選択を受信するステップと、を有し、
前記一又は二以上の映像データが、一又は二以上のメディア装置で生成されることを特徴とするユーザ・インタフェース表示方法。
【請求項２０】
ネットワーク拡張可能・再構成可能なメディア装置であって、
メディア・ユニットと、制御部と、通信ユニットを備え、
前記メディア・ユニットが、ビデオ信号生成用のセンサを備え、
前記制御部が、一又は二以上のプログラマブルなスタジオ・エフェクツに従って前記ビデオ信号を処理し、
前記通信ユニットが、処理された前記ビデオ信号を、ワイヤレス，セルラー又はネットワーク・プロトコルを介して送信することを特徴とするメディア装置。
【請求項２１】
前記制御部は、デジタル著作権管理（ＤＲＭ）のルールに従って、前記ビデオ信号を処理する請求項２０記載のメディア装置。
【請求項２２】
前記通信ユニットにより送信される送信信号が、他の装置との間で前記ビデオ信号の同期を取るためのタグを備える請求項２０記載のメディア装置。
【請求項２３】
前記通信ユニットにより送信される送信信号が、ニュース又はスポーツ番組の予め定められたスクリプトに対応する請求項２０記載のメディア装置。
【請求項２４】
メディア・ユニットと、制御部と、通信ユニットを備えた、ネットワーク拡張可能・再構成可能なメディア装置による通信方法であって、
前記センサにより、ビデオ信号を生成し、
前記制御部により、一又は二以上のプログラマブルなスタジオ・エフェクツに従って前記ビデオ信号を処理し、
前記通信ユニットにより、処理された前記ビデオ信号を、ワイヤレス，セルラー又はネットワーク・プロトコルを介して送信することを特徴とする通信方法。
【請求項２５】
前記制御部が、デジタル著作権管理（ＤＲＭ）のルールに従って、前記ビデオ信号を処理する請求項２４記載の通信方法。
【請求項２６】
前記通信ユニットにより送信される送信信号が、他の装置との間で前記ビデオ信号の同期を取るためのタグを備える請求項２４記載の通信方法。
【請求項２７】
前記通信ユニットにより送信される送信信号が、ニュース又はスポーツ番組の予め定められたスクリプトに対応する請求項２４記載の通信方法。
【請求項２８】
ネットワーク拡張可能・再構成可能なメディアシステムであって、
第一の装置が、第一のメディア・ユニットと、第一の制御部と、第一の通信ユニットを備え、
第二の装置が、第二のメディア・ユニットと、第二の制御部と、第二の通信ユニットを備え、
前記第一のメディア・ユニットが、第一のビデオ信号生成用の第一のセンサを備え、前記第一の制御部が、一又は二以上のプログラマブルなスタジオ・エフェクツに従って前記第一のビデオ信号を処理し、前記第一の通信ユニットが、処理された前記第一のビデオ信号を、ワイヤレス，セルラー又はネットワーク・プロトコルを介して送信し、
前記第二のメディア・ユニットが、第二のビデオ信号生成用の第二のセンサを備え、前記第二の制御部が、一又は二以上のプログラマブルなスタジオ・エフェクツに従って前記第二のビデオ信号を処理し、前記第二の通信ユニットが、処理された前記第二のビデオ信号を、ワイヤレス，セルラー又はネットワーク・プロトコルを介して送信し、
前記第一及び第二の装置が、メディア企画に従って共同的に連結されることを特徴とするメディアシステム。
【請求項２９】
前記第一の制御部が、第一のデジタル著作権管理（ＤＲＭ）のルールに従って、前記第一のビデオ信号を処理し、
前記第二の制御部が、第二のＤＲＭのルールに従って、前記第二のビデオ信号を処理する請求項２８記載のメディアシステム。
【請求項３０】
前記第一の通信ユニットにより送信される第一の送信信号が、前記第二の装置との間で前記第一のビデオ信号の同期を取るための第一のタグを備え、
前記第二の通信ユニットにより送信される第二の送信信号が、前記第一の装置との間で前記第二のビデオ信号の同期を取るための第二のタグを備える請求項２８記載のメディアシステム。
【請求項３１】
前記第一の通信ユニットにより送信される第一の送信信号が、ニュース又はスポーツ番組の予め定められた第一のスクリプトに対応し、
前記第二の通信ユニットにより送信される第二の送信信号が、ニュース又はスポーツ番組の予め定められた第二のスクリプトに対応する請求項２８記載のメディアシステム。